(57)【要約】  【課題】ワイヤレス受信が正常に行われない場合であっても、ワイヤレス伝送に対応する音声信号がいずれのスピーカからも出力されなくなるといった虞れをなくすことを目的とする。  【解決手段】音声信号出力手段から出力されるＮチャンネルの音声信号についてはワイヤード伝送し、Ｍチャンネルの音声信号についてはワイヤレス伝送する音響再生装置において、Ｍチャンネルの音声信号をワイヤレス送信する送信手段と、ワイヤレス送信された音声信号を受信する受信手段と、受信手段がＭチャンネルの音声信号を受信したことを示す受信情報をワイヤレス送信する受信情報送信手段と、ワイヤレス送信された受信情報を受信する受信情報受信手段と、Ｍ＋Ｎチャンネルの音声信号を合成してＮチャンネルの合成音声信号を生成する音声信号合成手段とを備え、受信情報受信手段が受信情報を受信しなかった場合、音声信号合成手段で生成された合成音声信号をワイヤード伝送する。【特許請求の範囲】
【請求項１】
Ｍ＋Ｎ（Ｍ、Ｎは正の整数）チャンネルの音声信号を出力する音声信号出力手段を有し、当該音声信号出力手段から出力されるＮチャンネルの音声信号についてはワイヤード伝送し、Ｍチャンネルの音声信号についてはワイヤレス伝送する音響再生装置において、
Ｍチャンネルの音声信号をワイヤレス送信する送信手段と、
前記ワイヤレス送信された音声信号を受信する受信手段と、
当該受信手段がＭチャンネルの音声信号を受信したことを示す受信情報をワイヤレス送信する受信情報送信手段と、
前記ワイヤレス送信された受信情報を受信する受信情報受信手段と、
Ｍ＋Ｎチャンネルの音声信号を合成してＮチャンネルの合成音声信号を生成する音声信号合成手段とを備え、
前記受信情報受信手段が受信情報を受信しなかった場合、前記音声信号合成手段で生成された合成音声信号をワイヤード伝送することを特徴とする音響再生装置。
【請求項２】
Ｎチャンネルの音声信号のワイヤード伝送をＭチャンネルの音声信号のワイヤレス伝送に対して所定時間遅延させる遅延手段を備えたことを特徴とする請求項１に記載の音響再生装置。
【請求項３】
前記所定時間は、前記音声信号合成手段がＭチャンネルの音声信号とＮチャンネルの音声信号を時間軸上の同じ位置で合成できる時間であることを特徴とする請求項２に記載の音響再生装置。
【請求項４】
前記所定時間は前記ワイヤード伝送に対して前記ワイヤレス伝送が遅れる時間に相当する時間であることを特徴とする請求項２又は請求項３に記載の音響再生装置。
【発明の詳細な説明】
【技術分野】
【０００１】
本発明は、複数のチャンネルの音声信号を出力する音響再生装置に関し、特に少なくともその一部のチャンネルの音声信号を対応する各チャンネルのスピーカにワイヤレス伝送する音響再生装置に関するものである。
【背景技術】
【０００２】
従来、複数のチャンネルの音声信号を出力する音響再生装置において、各チャンネルの音声信号に対応してスピーカが設けられ、各チャンネルのスピーカに対応するチャンネルの音声信号をワイヤレス伝送することが可能な音響再生装置が知られている。
このような音響再生装置では、例えば５．１チャンネル（５．１チャンネルはフロント左チャンネル、フロント右チャンネル、センターチャンネル、重低音チャンネル、サラウンド左チャンネル、サラウンド右チャンネルである。尚、重低音スピーカに対応する重低音チャンネルは０．１チャンネルとする）の環境下において、複数の人の会話が記録された記憶媒体を再生する場合には、リスナー前方に位置するべき人の声をリスナー前方のスピーカから出力し、リスナー後方に位置するべき人の声をリスナー後方のスピーカから出力することにより、臨場感溢れる会話の場面をリスナーの周りに再現することが可能である。また、リスナー後方の２つのスピーカ（サラウンド左スピーカ２８、サラウンド右スピーカ２９）には音声信号をワイヤレス伝送することにより、音声信号を出力するメインユニットからこの２つのスピーカへ音声信号を伝達するケーブルを不要とすることができる。  
【特許文献１】特開平６−１２５５８２号公報
【発明の開示】
【発明が解決しようとする課題】
【０００３】
しかしながら、音響再生装置本体の送信機から送信された音声信号のスピーカの受信機におけるワイヤレス受信が、例えば人の往来や電子レンジから発生する電磁波などで遮られることにより、ワイヤレス伝送に対応するチャンネルの音声信号がスピーカから出力されなくなることがある。すると、例えば、上述した複数の人の会話が記録された記憶媒体の再生中にワイヤレス受信が正常に行われなかった場合、リスナー前方に位置する人の声はリスナー前方のスピーカから出力されるが、リスナー後方に位置する人の声がリスナー後方のスピーカから出力されなくなってしまう。この場合、リスナー後方に位置する人の声の欠落によって、会話の内容が理解できなくなくなってしまう虞れがあった。
【０００４】
本発明はこのような問題に鑑みてなされたもので、ワイヤレス受信が正常に行われない場合であっても、ワイヤレス伝送に対応する音声信号がいずれのスピーカからも出力されなくなるといった虞れをなくすことを目的とする。
【課題を解決するための手段】
【０００５】
請求項１に記載の音響再生装置は、Ｍ＋Ｎ（Ｍ、Ｎは正の整数）チャンネルの音声信号を出力する音声信号出力手段を有し、当該音声信号出力手段から出力されるＮチャンネルの音声信号についてはワイヤード伝送し、Ｍチャンネルの音声信号についてはワイヤレス伝送する音響再生装置において、
Ｍチャンネルの音声信号をワイヤレス送信する送信手段と、
前記ワイヤレス送信された音声信号を受信する受信手段と、
当該受信手段がＭチャンネルの音声信号を受信したことを示す受信情報をワイヤレス送信する受信情報送信手段と、
前記ワイヤレス送信された受信情報を受信する受信情報受信手段と、
Ｍ＋Ｎチャンネルの音声信号を合成してＮチャンネルの合成音声信号を生成する音声信号合成手段とを備え、
前記受信情報受信手段が受信情報を受信しなかった場合、前記音声信号合成手段で生成された合成音声信号をワイヤード伝送することを特徴とする。
【０００６】
請求項２に記載の発明は、請求項１に記載の音響再生装置において、Ｎチャンネルの音声信号のワイヤード伝送をＭチャンネルの音声信号のワイヤレス伝送に対して所定時間遅延させる遅延手段を備えたことを特徴とする。
【０００７】
請求項３に記載の発明は、請求項２に記載の音響再生装置において、前記所定時間は、前記音声信号合成手段がＭチャンネルの音声信号とＮチャンネルの音声信号を時間軸上の同じ位置で合成できる時間であることを特徴とする。
【０００８】
請求項４に記載の発明は、請求項２又は請求項３に記載の音響再生装置において、前記所定時間は前記ワイヤード伝送に対して前記ワイヤレス伝送が遅れる時間に相当する時間であることを特徴とする。
【発明の効果】
【０００９】
請求項１に記載の音響再生装置によれば、受信情報受信手段が受信情報を受信しなかった場合、受信手段がワイヤレス伝送に対応するＭチャンネルの音声信号を受信しなかったとして、音声信号合成手段ではＭ＋Ｎチャンネルの音声信号が合成されＮチャンネルの合成音声信号を生成する。そして、この合成されたＮチャンネルの合成音声信号は、ワイヤード伝送され、ワイヤード伝送先に接続されるスピーカに音声出力される。これにより、ワイヤレス受信が人の往来や電波障害などで遮られることによりＭチャンネルの音声信号のワイヤレス受信が正常に行われない場合であっても、このワイヤレス受信されるはずであったＭチャンネルの音声信号に基づく音声も、合成音声信号がワイヤード伝送されて、Ｎチャンネルの音声信号に基づく音声と同時にワイヤード伝送先に接続されるスピーカから出力される。而して、ワイヤレス伝送に対応するＭチャンネルの音声信号に基づく音声がいずれのスピーカからも出力されなくなるといった虞れをなくすことができる。
【００１０】
従って、複数の人の会話が記録された記憶媒体を再生する際に、ワイヤレス伝送が正常にされなかったとしても、人の声が欠落することはなく、会話の内容が理解できなくなってしまうという不都合が起こることはない。
【００１１】
請求項２に記載の音響再生装置によれば、遅延手段によって、Ｎチャンネルの音声信号のワイヤード伝送をＭチャンネルの音声信号のワイヤレス伝送に対して所定時間遅延させる遅延手段を備えているから、ワイヤード伝送先に接続されるスピーカとワイヤレス伝送先に接続されるスピーカ間における音声出力のタイミングを補正することができる。
【００１２】
請求項３に記載の発明によれば、上記所定時間は、音声信号合成手段がＭチャンネルの音声信号とＮチャンネルの音声信号を時間軸上の同じ位置で合成できる時間に設定される。これにより、送信手段及び受信手段におけるエンコード処理及びデコード処理などによりＭチャンネルの音声信号のワイヤレス受信の試行にある程度の時間が必要である場合でも、ワイヤレス受信に失敗してワイヤード伝送に切り替えたＭチャンネルの音声信号とワイヤード伝送に対応するＮチャンネルの音声信号を時間軸上の同じ位置において同じタイミングで音声信号合成手段に入力することができる。従って、音声信号合成手段においてＭチャンネルの音声信号とＮチャンネルの音声信号を正しいタイミングで合成することができ、このワイヤレス受信されるはずであったＭチャンネルの音声信号に基づく音声も、時間軸上の同じ位置にあるＮチャンネルの音声信号に基づく音声と同時に同じスピーカから出力することができる。
【００１３】
請求項４に記載の音響再生装置によれば、前記遅延手段は、ワイヤード伝送に対してワイヤレス伝送が遅れる時間に相当する時間分遅延させるので、ワイヤード伝送先に接続されるスピーカとワイヤレス伝送先に接続されるスピーカ間における音声の出力に時間差が生じることがない。
【実施例１】
【００１４】
本実施例では、Ｍ＋Ｎチャンネルの音声信号を出力する音声信号出力手段を有する音響再生装置として、Ｍ＝３、Ｎ＝４の場合を例に説明する。本実施例では６．１チャンネル（フロント左チャンネル、フロント右チャンネル、センターチャンネル、重低音チャンネル、サラウンド左チャンネル、サラウンド右チャンネル、サラウンドバックチャンネル）の音声信号を出力し、そのうちＮチャンネルとしてフロント左チャンネル、フロント右チャンネル、センターチャンネル、重低音チャンネルが該当し、Ｍチャンネルとしてサラウンド左チャンネル、サラウンド右チャンネル、サラウンドバックチャンネルが該当する。この音響再生装置は、音声信号をリスナー前方の３つのスピーカ（フロント左スピーカ２４、フロント右スピーカ２５、センタースピーカ２６）と、重低音スピーカ２７と、リスナー後方の３つのスピーカ（サラウンド左スピーカ２８、サラウンド右スピーカ２９、サラウンドバックスピーカ３０）に出力する。
【００１５】
図１は、本発明の一実施例である音響再生装置の概略構成を示すブロック図である。
【００１６】
本実施例に係る音響再生装置は、メインユニット１とフロントアンプユニット２とサラウンドンプユニット３の３つのユニットを基本構成としている。フロントアンプユニット２には、ワイヤード伝送先に接続されたスピーカとして、フロント左スピーカ２４とフロント右スピーカ２５とセンタースピーカ２６と重低音スピーカ２７の４つのスピーカがワイヤード接続される。また、サラウンドンプユニット３には、ワイヤレス伝送先に接続されたスピーカとして、サラウンド左スピーカ２８とサラウンド右スピーカ２９とサラウンドバックスピーカ３０の３つのスピーカがワイヤード接続される。以下、これらの各ユニットの具体的構成について説明する。
【００１７】
メインユニット１は、制御部４と音声信号発生部５と音声信号出力手段として機能する音声信号処理部６と入力部７と受信情報受信ユニット２３から成る。制御部４は、本実施例に係る音響再生装置における各種制御を行う。音声信号発生部５は、ＤＶＤなどのソースから入力されたデジタル音声信号を音声信号処理部６に出力する。
【００１８】
ここで、図２を用いて、図１に示すメインユニット１内の音声信号処理部６の概略構成を説明する。音声信号発生部５は、ＤＶＤなどのソースから、図３に示すようにフレーム分割された音声ストリームとして入力された５．１チャンネルのデジタル音声信号をオーディオＤＳＰ１７に出力する。そしてオーディオＤＳＰ１７中のオーディオデコーダ１６は、５．１チャンネルのデジタル音声信号をデコードする。また、オーディオＤＳＰ１７は、オーディオデコーダ１６においてデコードされたデジタル音声信号を５．１チャンネルから６．１チャンネルにするサラウンド処理及び遅延手段として機能して後述する遅延処理を行い、これをＤ／Ａコンバータ１９に出力する。メモリ１８は、オーディオＤＳＰ１７から出力されたデジタル音声信号を一旦ストアし、オーディオＤＳＰ１７に出力するものである。Ｄ／Ａコンバータ１９は、オーディオＤＳＰ１７から出力されたデジタル音声信号のアナログ音声信号への変換を行い、これをボリュームＩＣ２０に出力する。ボリュームＩＣ２０は、Ｄ／Ａコンバータ１９から出力されたアナログ音声信号についての音声の減衰量をチャンネル毎に調整し、これをケーブルＡに出力するものである。尚、本実施例においてはＤＶＤから音声信号発生部５に入力されるデジタル音声信号は５．１チャンネルであるが、本発明においてはＤＶＤから出力されるデジタル音声信号は５．１チャンネルに限られず、例えばDolby Digitalなどの６．１チャンネルの場合であってもよい。
【００１９】
入力部７は、ユーザによる図示しないキーやボタンの押下によって制御部４へ制御信号を出力することにより、ユーザが所望する音響再生装置の動作制御を可能にするものである。受信情報受信ユニット２３は、受信情報受信手段として機能し、ワイヤレス受信ユニット１４が３チャンネル（サラウンド左チャンネル、サラウンド右チャンネル、サラウンドバックチャンネル）のデジタル音声信号を受信したことを示す受信情報を受信情報送信ユニット２２からワイヤレス受信する。
【００２０】
フロントアンプユニット２は、３．１チャンネルアンプ部８と切替部Ｆ９とワイヤレス送信ユニット１０とソケットＦ１１とダウンミックス回路部２１から成る。切替部Ｆ９は、ワイヤレス伝送する場合とワイヤード伝送する場合に各々対応して、音声信号処理部６からケーブルＡを通ってワイヤレス送信ユニット１０とソケットＦ１１に出力されるアナログ音声信号の信号出力経路を選択的に切り替える。ワイヤレス送信ユニット１０は、送信手段として機能し、切替部Ｆ９から入力された３チャンネル（サラウンド左チャンネル、サラウンド右チャンネル、サラウンドバックチャンネル）のデジタル音声信号のバッファリング処理及びＲＦエンコード処理を行い、その後、後述するワイヤレス受信ユニット１４に向けてワイヤレス送信する。３．１チャンネルアンプ部８は、６．１チャンネルのアナログ音声信号のうち３．１チャンネル（フロント左チャンネル、フロント右チャンネル、センターチャンネル、重低音チャンネル）のアナログ音声信号を増幅後、ワイヤード接続された各々対応するフロント左スピーカ２４とフロント右スピーカ２５とセンタースピーカ２６と重低音スピーカ２７に出力する。ソケットＦ１１は、フロントアンプユニット２側にてケーブルＢを接続するためのものである。ダウンミックス回路部２１は、音声信号合成手段として機能し、３チャンネル（サラウンド左チャンネル、サラウンド右チャンネル、サラウンドバックチャンネル）のデジタル音声信号が正常にワイヤレス受信されなかった場合、制御部４の制御によって、図４に示すようにダウンミックス回路部２１の各々のスイッチをオンにし、このスイッチのオンによって、サラウンド左チャンネルの音声信号はフロント左チャンネルの音声信号と、サラウンド右チャンネルの音声信号はフロント右チャンネル音声信号と、サラウンドバックチャンネル音声信号はセンターチャンネル音声信号と合成される。
【００２１】
サラウンドアンプユニット３は、３チャンネルアンプ１２と、切替部Ｒ１３と、ワイヤレス受信ユニット１４と、ソケットＲ１５と受信情報送信ユニット２２とから成る。３チャンネルアンプ１２は、３チャンネル（サラウンド左チャンネル、サラウンド右チャンネル、サラウンドバックチャンネル）のアナログ音声信号が入力して増幅した後、ワイヤード接続された各々対応するサラウンド左スピーカ２８とサラウンド右スピーカ２９とサラウンドバックスピーカ３０に出力する。切替部Ｒ１３は、ワイヤレス伝送する場合とワイヤレス伝送しない場合に各々対応して、ワイヤレス受信ユニット１４とソケットＲ１５とから３チャンネルアンプ１２へ出力されるアナログ音声信号の信号出力経路を選択的に切り替える。ワイヤレス受信ユニット１４は、受信手段として機能し、ワイヤレス送信ユニット１０からワイヤレス受信した３チャンネル（サラウンド左チャンネル、サラウンド右チャンネル、サラウンドバックチャンネル）のデジタル音声信号をバッファリング処理し、これらデジタル音声信号を切替部１３に出力する。ソケットＲ１５は、サラウンドアンプユニット３側にてケーブルＢを接続するためのものである。受信情報送信ユニット２２は、受信情報送信手段として機能し、ワイヤレス受信ユニット１４が３チャンネル（サラウンド左チャンネル、サラウンド右チャンネル、サラウンドバックチャンネル）のデジタル音声信号を受信したことを示す受信情報を受信情報受信ユニット２３にワイヤレス送信する。
【００２２】
次に、６．１チャンネルの音声信号のうち３チャンネル（サラウンド左チャンネル、サラウンド右チャンネル、サラウンドバックチャンネル）の音声信号をワイヤレス伝送する場合の音声信号処理の流れについて、図５を用いて説明する。
【００２３】
まず、ＤＶＤから５．１チャンネルのデジタル音声信号が音声信号発生部５に入力される（Ｓ１）。音声信号処理部６では、音声信号発生部５から入力された５．１チャンネルのデジタル音声信号の各種音声処理（デコード処理、５.１チャンネルから６．１チャンネルへのデジタル音声信号のサラウンド処理、後述する遅延処理、アナログ音声信号への変換、各チャンネルの音声信号毎の減衰処理）が行われる（Ｓ２）。音声信号処理部６から出力された６．１チャンネルのアナログ音声信号はケーブルＡを通じてフロントアンプユニット２に入力される。このフロントアンプユニット２に入力された６．１チャンネルのアナログ音声信号のうち３．１チャンネル（フロント左チャンネル、フロント右チャンネル、センターチャンネル、重低音チャンネル）のアナログ音声信号は（Ｓ４のＮ）、３．１チャンネルアンプ部８に入力されて各々増幅された後（Ｓ５）、各々対応するフロント左スピーカ２４とフロント右スピーカ２５とセンタースピーカ２６と重低音スピーカ２７に出力される（Ｓ６）。
【００２４】
一方、この６．１チャンネルのアナログ音声信号のうち３チャンネル（サラウンド左チャンネル、サラウンド右チャンネル、サラウンドバックチャンネル）のアナログ音声信号は（Ｓ４のＹ）、ワイヤレス送信ユニット１０に入力される。ワイヤレス送信ユニット１０に入力された３チャンネル（サラウンド左チャンネル、サラウンド右チャンネル、サラウンドバックチャンネル）のデジタル音声信号は、ＲＦエンコード処理及びバッファリング処理され（Ｓ８）、ワイヤレス受信ユニット１４に向けてワイヤレス送信される（Ｓ９）。
【００２５】
ここで、３チャンネル（サラウンド左チャンネル、サラウンド右チャンネル、サラウンドバックチャンネル）のデジタル音声信号が正常にワイヤレス受信された場合（Ｓ１０でＹ）、ワイヤレス受信ユニット１４では３チャンネル（サラウンド左チャンネル、サラウンド右チャンネル、サラウンドバックチャンネル）のデジタル音声信号を受信した後、バッファリング処理及びＲＦデコード処理する（Ｓ１１）。そして、アナログ音声信号に変換され（Ｓ１２）、３チャンネルアンプ１２に入力されて各々増幅された後（Ｓ１３）、３チャンネルアンプ１２に接続されたスピーカ（サラウンド左スピーカ２８、サラウンド右スピーカ２９、サラウンドバックスピーカ３０）に出力される（Ｓ１４）。
【００２６】
反対に、３チャンネル（サラウンド左チャンネル、サラウンド右チャンネル、サラウンドバックチャンネル）のデジタル音声信号が正常にワイヤレス受信されなかった場合（Ｓ１０でＮ）、受信情報送信ユニット２２から受信情報受信ユニット２３に受信情報が送信されなかったとして、ダウンミックス回路部２１にて前述した音声信号の合成が行われる（Ｓ１５）。そして、合成された音声信号は３．１チャンネルアンプ８に入力されて各々増幅され（Ｓ１６）、これらの音声信号に対応する音声が３．１チャンネルアンプ８に接続されたスピーカ（フロント左スピーカ２４、フロント右スピーカ２５、センタースピーカ２６）から出力される（Ｓ１７）。
【００２７】
一般には、例えば６．１チャンネルのスピーカ出力のあるマルチチャンネル環境では、スピーカの位置に応じて遅延時間の設定がされるが、単純に音声信号処理部６による遅延処理を行わない場合、ワイヤレス送信ユニット１０におけるＲＦエンコードとバッファリング処理及びワイヤレス受信ユニット１４におけるバッファリング及びデコード処理にはある程度の時間を要するため、ワイヤレス伝送によって、ワイヤレス伝送に対応するチャンネル（サラウンド左チャンネル、サラウンド右チャンネル、サラウンドバックチャンネル）の音声信号が音声信号処理部６から３チャンネルアンプ１２に接続されるスピーカに入力されるタイミングは、ワイヤード伝送に対応するチャンネル（フロント左チャンネル、フロント右チャンネル、センターチャンネル、重低音チャンネル）の音声信号が音声信号処理部６から３．１チャンネルアンプ８に接続されるスピーカに入力されるタイミングに比べて一定時間遅延してしまう。
【００２８】
例えば、図３はフレーム分割された音声ストリームが２フレーム分遅延する場合を示している。すると、３チャンネルアンプ１２に接続されるスピーカ（サラウンド左スピーカ２８、サラウンド右スピーカ２９、サラウンドバックスピーカ３０）からは３．１チャンネルアンプ８に接続されるスピーカ（フロント左スピーカ２４、フロント右スピーカ２５、センタースピーカ２６、重低音スピーカ２７）より遅れて音声が出力されることになる。
【００２９】
本実施例においては、ワイヤード伝送によって３．１チャンネル（フロント左チャンネル、フロント右チャンネル、センターチャンネル、重低音チャンネル）の音声信号が音声信号処理部６から３．１チャンネルアンプ８に接続されたスピーカ（フロント左スピーカ２４、フロント右スピーカ２５、センタースピーカ２６、重低音スピーカ２７）へ入力されるタイミングに対して、ワイヤレス伝送によって３チャンネル（サラウンド左チャンネル、サラウンド右チャンネル、サラウンドバックチャンネル）の音声信号が音声信号処理部６から３チャンネルアンプ１２に接続されたスピーカ（サラウンド左スピーカ２８、サラウンド右スピーカ２９、サラウンドバックスピーカ３０）へ入力されるタイミングが遅れる時間に相当する時間分、３．１チャンネル（フロント左チャンネル、フロント右チャンネル、センターチャンネル、重低音チャンネル）の音声信号のワイヤード伝送を遅延させるように設定することによって、各スピーカから時間差が生じることがなく音声が出力される。      
【００３０】
遅延処理は、例えば次のように行われる。まず、制御部４の制御によりオーディオＤＳＰ１７は、６．１チャンネルの音声信号のうち、ワイヤード伝送に対応する３．１チャンネル（フロント左チャンネル、センターチャンネル、フロント右チャンネル、重低音チャンネル）の音声信号を音声信号処理部６内のメモリ１８に一旦ストアする。そして、音声信号処理部６における３チャンネル（サラウンド左チャンネル、サラウンド右チャンネル、サラウンドバックチャンネル）の音声信号の出力開始時から前述した遅延時間分経過した後、制御部４の制御によりオーディオＤＳＰ１７は、音声信号処理部６内のメモリ１８からストアされていた３.１チャンネル（フロント左チャンネル、フロント右チャンネル、センターチャンネル、重低音チャンネル）の音声信号を順次読み出し、これらの音声信号を、ケーブルＡ等を経由して３．１チャンネルアンプ８に接続されたスピーカ（フロント左スピーカ２４、フロント右スピーカ２５、センタースピーカ２６、重低音スピーカ２７）に出力する。
【００３１】
次に、ワイヤレス伝送が正常に行われた場合、及び正常に行われなかった場合の具体的な処理の流れについて、図６を用いて説明する。
【００３２】
ワイヤレス受信ユニット１４がワイヤレス伝送に対応する３チャンネル（サラウンド左チャンネル、サラウンド右チャンネル、サラウンドバックチャンネル）のフレーム分割された音声ストリームの１フレーム分の音声信号を受信したときは（Ｓ１でＹ）、受信情報送信ユニット２２が受信情報受信ユニット２３に受信情報を送信する（Ｓ２）。そして、受信情報の受信を確認した制御部４は、ワイヤレス受信が正常に行われたと判断し、３チャンネルアンプ１２に接続されたスピーカ（サラウンド左スピーカ２８、サラウンド右スピーカ２９、サラウンドバックスピーカ３０）から音声を出力するように制御する（Ｓ３）。
【００３３】
一方、ワイヤレス受信ユニット１４がワイヤレス伝送に対応する３チャンネル（サラウンド左チャンネル、サラウンド右チャンネル、サラウンドバックチャンネル）のフレーム分割された音声ストリームの１フレーム分の音声信号を受信できなかったときは（Ｓ１でＮ）、受信情報送信ユニット２２は受信情報受信ユニット２３に受信情報を送信しない。そして、受信情報の受信を確認できなかった制御部４は、音声データのうち次の所定単位部分（ワイヤレス伝送できなかった音声信号が１フレーム目である場合には、次の所定単位部分は２フレーム目）に対応する音声信号のワイヤレス伝送を行わないように制御する。同時に、制御部４は、これらのワイヤレス伝送に対応する３チャンネル（サラウンド左チャンネル、サラウンド右チャンネル、サラウンドバックチャンネル）の音声信号とワイヤード伝送に対応する３．１チャンネル（フロント左チャンネル、フロント右チャンネル、センターチャンネル、重低音チャンネル）の音声信号を時間軸上の同じ位置で合成できるようにダウンミックス回路部２１に出力するように制御する（Ｓ４）。そして、ダウンミックス回路２１で合成された合成音声信号がワイヤード伝送されて、ワイヤレス伝送に対応する３チャンネル（サラウンド左チャンネル、サラウンド右チャンネル、サラウンドバックチャンネル）の音声信号についても３．１チャンネルアンプ８に接続されたスピーカ（フロント左スピーカ２４、フロント右スピーカ２５、センタースピーカ２６）から音声が出力される（Ｓ５）。
【００３４】
本実施例の音響再生装置によれば、受信情報受信ユニット２３が受信情報を受信しなかった場合、ワイヤレス受信ユニット１４がワイヤレス送信された３チャンネル（サラウンド左チャンネル、サラウンド右チャンネル、サラウンドバックチャンネル）の音声信号を受信しなかったとして、ダウンミックス回路部２１は６チャンネル（フロント左チャンネル、フロント右チャンネル、センターチャンネル、サラウンド左チャンネル、サラウンド右チャンネル、サラウンドバックチャンネル）の音声信号から３チャンネルの合成音声信号（サラウンド左チャンネルの音声信号はフロント左チャンネルの音声信号と、サラウンド右チャンネルの音声信号はフロント右チャンネルの音声信号と、サラウンドバックチャンネルの音声信号はセンターチャンネルの音声信号と合成される。）を生成し、この合成された３チャンネルの合成音声信号は３．１チャンネルアンプ８に接続されたスピーカ（フロント左スピーカ２４、フロント右スピーカ２５、センタースピーカ２６）に音声出力される。
【００３５】
これによりワイヤレス受信が人などで遮られることによりワイヤレス受信が正常に行われない場合であっても、ワイヤレス伝送されるはずであった３チャンネル（サラウンド左チャンネル、サラウンド右チャンネル、サラウンドバックチャンネル）の音声信号に基づく音声も、３チャンネルの合成音声信号がワイヤード伝送されて、３．１チャンネルアンプ８に接続されるスピーカ（フロント左スピーカ２４、フロント右スピーカ２５、センタースピーカ２６）から出力される。而して、ワイヤレス伝送に対応するチャンネル（サラウンド左チャンネル、サラウンド右チャンネル、サラウンドバックチャンネル）の音声信号がいずれのスピーカからも出力されなくなるといった虞れをなくすことができる。
【００３６】
また、本実施例の音響再生装置によれば、音声信号処理部６内のオーディオＤＳＰ１７が、３．１チャンネル（フロント左チャンネル、フロント右チャンネル、センターチャンネル、重低音チャンネル）の音声信号のワイヤード伝送を、３チャンネル（サラウンド左チャンネル、サラウンド右チャンネル、サラウンドバックチャンネル）の音声信号のワイヤレス伝送に対して遅延させ、この遅延は前記ワイヤード伝送に対して前記ワイヤレス伝送が遅れる時間に相当する時間分の遅延に設定しているため、３．１チャンネル（フロント左チャンネル、フロント右チャンネル、センターチャンネル、重低音チャンネル）の音声信号が入力される３．１チャンネルアンプ８に接続されたスピーカと、３チャンネル（サラウンド左チャンネル、サラウンド右チャンネル、サラウンドバックチャンネル）の音声信号が入力される３チャンネルアンプ１２に接続されたスピーカ間における音声の出力に時間差が生じることがない。
【００３７】
加えて、このように遅延時間を設定したので、ワイヤレス送信ユニット１０におけるＲＦエンコードとバッファリング処理及びワイヤレス受信ユニット１４におけるバッファリング及びデコード処理によりワイヤレス受信の試行にある程度の時間が必要であったとしても、ワイヤレス受信に失敗してワイヤード伝送に切り替えたワイヤレス伝送に対応する３チャンネル（サラウンド左チャンネル、サラウンド右チャンネル、サラウンドバックチャンネル）の音声信号とワイヤード伝送に対応する３．１チャンネル（フロント左チャンネルとフロント右チャンネルとセンターチャンネルと重低音チャンネル）の音声信号を、時間軸上の同じ位置（同じ番号のフレーム）において同じタイミングでダウンミックス回路２１に入力することができる。
【００３８】
従って、ダウンミックス回路部２１において３チャンネル（サラウンド左チャンネル、サラウンド右チャンネル、サラウンドバックチャンネル）の音声信号と３チャンネル（フロント左チャンネル、フロント右チャンネル、センターチャンネル）の音声信号を正しいタイミングで合成することができ、このワイヤレス受信されるはずであった３チャンネル（サラウンド左チャンネル、サラウンド右チャンネル、サラウンドバックチャンネル）の音声信号に基づく音声も、時間軸上の同じ位置にある３．１チャンネル（フロント左チャンネル、フロント右チャンネル、センターチャンネル、重低音チャンネル）の音声信号に基づく音声と同時に３．１チャンネルアンプ８に接続されたスピーカから出力することができる。
【００３９】
尚、本実施例においては、Ｍ＋Ｎチャンネルの音声信号を出力する音声再生装置において、Ｍ＝３、Ｎ＝４であるが、本発明においてはＭ、Ｎはこれら限られず、Ｍ＝２、Ｎ＝３など様々な正の整数を採用することができる。
尚、本実施例においては、Ｍ＋Ｎチャンネルの音声信号を出力する音声再生装置において、Ｍ＝３、Ｎ＝４であるが、本発明においてはＭ、Ｎはこれに限られず、例えばＭ＝２、Ｎ＝４など様々な正の整数を採用することができる。
【００４０】
例えば、Ｍ＝２、Ｎ＝４を採用した場合にあっては（５．１チャンネルの音声信号を出力する場合）、ワイヤレス受信ユニット１４がワイヤレス送信された２チャンネル（サラウンド左チャンネル、サラウンド右チャンネル）の音声信号を受信しなかったとき、ダウンミックス回路部２１は４チャンネル（フロント左チャンネル、フロント右チャンネル、サラウンド左チャンネル、サラウンド右チャンネル）の音声信号から２チャンネルの合成音声信号（サラウンド左チャンネルの音声信号はフロント左チャンネルの音声信号と、サラウンド右チャンネルの音声信号はフロント右チャンネルの音声信号と合成される。）を生成し、この合成された２チャンネルの合成音声信号は３．１チャンネルアンプ８に接続されたスピーカ（フロント左スピーカ２４、フロント右スピーカ２５）に音声出力される（尚、センターチャンネルの音声信号と重低音チャンネルの音声信号は、音声信号の合成に関与せず、ダウンミックス回路部２１をそのまま通過し、３．１チャンネルアンプ部８を経て、それぞれセンタースピーカと重低音スピーカに音声出力される）。
【図面の簡単な説明】
【００４１】
【図１】本発明の一実施例である音響再生装置の概略構成を示す図である。
【図２】図１に示すメインユニット１の音声信号処理部６の概略構成を示すブロック図である。
【図３】３チャンネル（サラウンド左チャネル、サラウンド右チャンネル、サラウンドバックチャンネル）のデジタル音声信号（フレーム分割された音声信号ストリーム）の遅延を示す概略構成図である。
【図４】ダウンミックス回路部２１の概略配線図である。
【図５】ワイヤレス受信が正常に行われた場合、及び正常に行われなかった場合の具体的な処理の流れを示す図である。
【図６】６．１チャンネルの音声信号のうち３チャンネル（サラウンド左チャンネル、サラウンド右チャンネル、サラウンドバックチャンネル）の音声信号をワイヤレス伝送する場合の音声信号処理の流れを示す図である。
【符号の説明】
【００４２】
６  音声信号処理部
１０  ワイヤレス送信ユニット
１４  ワイヤレス受信ユニット
１７  オーディオＤＳＰ
２１  ダウンミックス回路部
２２  受信情報送信ユニット
２３  受信情報受信ユニット
【図１】
2006101081.tif 000002
【図２】
2006101081.tif 000003
【図３】
2006101081.tif 000004
【図４】
2006101081.tif 000005
【図５】
2006101081.tif 000006
【図６】
2006101081.tif 000007